(57)【要約】【課題】顔全体に温熱を与えることができる温熱具を提供する【解決手段】人の顔の上に載せて使用される温熱具１であって、発熱材料２と、発熱材料２を収容した収容体３と、を備え、収容体３は、下顎１０を包含可能な下顎被覆部３０と、下顎被覆部３０から少なくとも目１４の下までを被覆可能に延びる顔被覆部３１と、を含む。【選択図】図７
2020000665.tif 000002
【特許請求の範囲】
【請求項１】
人の顔の上に載せて使用される温熱具であって、
発熱材料と、
前記発熱材料を収容した収容体と、を備え、
前記収容体は、下顎を包含可能な下顎被覆部と、前記下顎被覆部から少なくとも目の下までを被覆可能に延びる顔被覆部と、を含む、温熱具。
【請求項２】
前記収容体は、左側及び右側の２つのマスク片からなり、前記２つのマスク片は、前記収容体の左右方向の中央側の縁の少なくとも一部分が互いに接合されており、前記２つのマスク片を左右に拡げることで立体形状を呈する、請求項１に記載の温熱具。  
【請求項３】
前記収容体には、下顎と頬との境界に沿う又は前記境界と交差する位置に、前記発熱材料の移動を規制する規制ラインが設けられている、請求項１又は２に記載の温熱具。
【請求項４】
前記収容体の左右方向の中心に位置する縦中央線に対する前記規制ラインの傾斜角度が１０°以上８０°以下である、請求項３に記載の温熱具。
【請求項５】
前記収容体には、頬と目との境界に沿う位置に、前記発熱材料の移動を規制する規制ラインが設けられている、請求項１〜４のいずれかに記載の温熱具。
【請求項６】
前記収容体は、前記下顎被覆部及び前記顔被覆部の少なくとも一部分に隣接した前記発熱材料を収容しないスカート部をさらに含む、請求項１〜５のいずれかに記載の温熱具。
【請求項７】
前記顔被覆部は、目が当たる位置に前記発熱材料を収容しない目被覆領域を有する、請求項１〜６のいずれかに記載の温熱具。
【請求項８】
前記発熱材料があずきである、請求項１〜７のいずれかに記載の温熱具。
【発明の詳細な説明】
【技術分野】
【０００１】
本発明は、顔の上に載せて使用され、顔全体に温熱を与える温熱具に関する。
【背景技術】
【０００２】
従来から、身体の所定部位に温熱を与えることで、該部位をじっくりと温めて疲れを癒したり、凝りをほぐしたり、リラックス効果を付与できる温熱具が知られている。かかる温熱具としては、首、肩、お腹を対象としたものが提案されており、顔を対象としたものでは例えば特許文献１に記載の目に特化したものは提案されているが、顔面の広範囲に温熱を与えられるものは提案されていない。
【先行技術文献】
【特許文献】
【０００３】
【特許文献１】特開２０１４−８２６９公報
【発明の概要】
【発明が解決しようとする課題】
【０００４】
本発明は上記課題を解決するためになされたものであり、顔面の広範囲に温熱を与えることができる温熱具を提供することを目的とする。
【課題を解決するための手段】
【０００５】
本発明の温熱具は、人の顔の上に載せて使用されるものであって、発熱材料と、前記発熱材料を収容した収容体と、を備え、前記収容体は、下顎を包含可能な下顎被覆部と、前記下顎被覆部から少なくとも目の下までを被覆可能に延びる顔被覆部と、を含むことを特徴とする。
【０００６】
本発明の温熱具においては、前記収容体は、左側及び右側の２つのマスク片からなり、前記２つのマスク片は、前記収容体の左右方向の中央側の縁の少なくとも一部分が互いに接合されており、前記２つのマスク片を左右に拡げることで立体形状を呈することが好ましい。
【０００７】
また、本発明の温熱具においては、前記収容体には、下顎と頬との境界に沿う又は前記境界と交差する位置に、前記発熱材料の移動を規制する規制ラインが設けられていることが好ましい。
【０００８】
また、本発明の温熱具においては、前記収容体には、頬と目との境界に沿う位置に、前記発熱材料の移動を規制する規制ラインが設けられていることが好ましい。
【０００９】
また、本発明の温熱具においては、前記収容体の左右方向の中心に位置する縦中央線に対する前記規制ラインの傾斜角度が１０°以上８０°以下であることが好ましい。
【００１０】
また、本発明の温熱具においては、前記収容体は、前記下顎被覆部及び前記顔被覆部の少なくとも一部分に隣接した前記発熱材料を収容しないスカート部をさらに含むことが好ましい。
【００１１】
また、本発明の温熱具においては、前記顔被覆部は、目が当たる位置に前記発熱材料を収容しない目被覆領域を有することが好ましい。
【００１２】
また、本発明の温熱具においては、前記発熱材料があずきであることが好ましい。
【発明の効果】
【００１３】
本発明の温熱具によれば、顔の下顎を下顎被覆部で覆うとともに下顎よりも上方部分を顔被覆部で覆うので、顔面の広範囲に温熱を与えることができる。加えて、下顎の下面（顎下）のリンパ節や下顎の付け根辺りを流れる大きな血管を温めることができるので血行促進を図ることができる。
【図面の簡単な説明】
【００１４】
【図１】本実施形態の温熱具の拡げた状態の斜視図である。
【図２】本実施形態の温熱具の折り畳んだ状態の右側面図である。
【図３】本実施形態の温熱具の折り畳んだ状態の左側面図である。
【図４】図３のＡ−Ａ断面図である。
【図５】図３のＢ−Ｂ断面図である。
【図６】本実施形態の温熱具を着用した人の顔を示す斜視図である。
【図７】人の顔を示す斜視図である。
【図８】他の実施形態の温熱具の右側面図である。
【図９】他の実施形態の温熱具の下面図である。
【図１０】図８のＢ−Ｂ断面図である。
【発明を実施するための形態】
【００１５】
以下、本発明に係る温熱具の実施形態について図面を参照しつつ説明する。図１〜図５は、本実施形態の温熱具１を示す。温熱具１は、図６に示すように、人の顔の上に載せて使用されるものであり、顔面を広範囲に覆って温熱を与えることで、顔をじっくりと温めて疲れを癒したり、凝りをほぐしたり、リラックス効果を付与することを目的とするものである。
【００１６】
温熱具１は、図１〜図５に示すように、発熱材料２と、発熱材料２を収容した収容体３とを備えている。発熱材料２は、何らかの手段により熱を発生することによって顔に温熱を付与できるものであれば特に限定されるものではなく、例えば使い捨てカイロなどに用いられているような空気との接触により発熱する組成物や、電子レンジでマイクロ波の照射を受けることで発熱する材料（例えばフェライトなどのセラミック粉末）などを用いることもできるが、好ましくはあずきを用いることができる。
【００１７】
あずきは、水分を多く含有しており、電子レンジなどで温めることで水分が蒸発して蒸気が発生し、この蒸気が有する熱により温熱を与える。あずきの蒸気による温熱は湿熱であり、湿気のない温熱（乾熱）に比べて体の奥まで届くため、温熱効果が効果的になる。そのうえ、あずきは、蒸発により内部の水分を失っても、失った水分を空気中から吸収するので、所定時間の経過後に再び電子レンジで温めるだけで繰り返し使うことができるため、経済的である。
【００１８】
収容体３は、左右方向の中心に位置する縦中央線Ｌを挟んで左右対称の形状を呈している。本実施形態では、収容体３は、着用者の左顔面を覆うマスク片４Ａと、着用者の右顔面を覆うマスク片４Ｂとからなる。２つのマスク片４Ａ，４Ｂは、同じ形状を呈しており、２つのマスク片４Ａ，４Ｂの左右方向の中央（着用時の顔の中央）側の縁の少なくとも一部分を互いに接合する、例えば縫い合わせるなどして接合することで、収容体３は、図１及び図６に示すように、２つのマスク片４Ａ，４Ｂを左右に拡げたときに着用者の顔全体を包み込むことが可能な立体形状を呈する。なお、収容体３は、着用時に２つのマスク片４Ａ，４Ｂを拡げることで立体形状を呈する一方、未着用時においては２つのマスク片４Ａ，４Ｂを互いに重ね合わせることで、図２〜図５に示すように、折り畳み状態とされる。
【００１９】
マスク片４Ａ，４Ｂは、本実施形態では、図２及び図３に示すように、横から見た際に、長方形の一つの角を斜めに切り落とした五角形状（長方形の上に直角台形を組み合わせた形状）を呈しており、着用時に顔の下顎側に位置する下側縁４０同士が縫製などで接続されている。また、マスク片４Ａ，４Ｂは、着用時に顔の中央側（口、鼻、眉間など）側に位置する内側縁４１の下側縁４０側の一部分（傾斜部分）同士及び着用時に顔の額側に位置する上側縁４３側の一部分（外側縁４２と平行部分）同士が縫製などで接続されている。これにより、収容体３は、図１及び図６に示すように、左右方向の中央に開口３２を有し、また、着用時に顔面の左側を覆う部分と右側を覆う部分とが互いに離れることなく接続され、さらに、折り畳み状態から拡げたときに、開口３２の下方の凸状をなす部分（前記傾斜部分と前記平行部分との境目の部分）に空間Ｓを有する立体形状を呈する。
【００２０】
マスク片４Ａ，４Ｂは、図４及び図５に示すように、２枚のシートを重ね合わせ、その外周縁同士を例えば縫い合わせるなどして接合することで袋状に構成され、２枚のシートの間に発熱材料２が封入されている。２枚のシートは、柔軟性を有していれば特に限定されるものではなく、例えば織布や不織布、編物などで構成でき、繊維素材も公知のものを選択することができ、例えば綿などの天然繊維；レーヨンなどの半合成繊維；ポリプロピレン、ポリエチレン、ポリエステルなどの合成繊維；及び各種繊維を混ぜた繊維を用いることができる。なお、着用者側のシートは発熱材料２の温熱を効果的に顔面に伝達する点、肌触りの点などからポリエステルと綿とを混ぜた繊維が好ましい。また、着用者と反対側のシートは発熱材料２の温熱を外部に逃がさずに保温する点でポリエステルが好ましく、起毛していることがより好ましい。
【００２１】
マスク片４Ａ，４Ｂを構成する２枚のシートの目付は特に限定されるものではないが、着用者側のシートの目付は１５ｇ／ｍ２以上５００ｇ／ｍ２以下であることが好ましく、着用者反対側のシートの目付は１５ｇ／ｍ２以上５００ｇ／ｍ２以下であることが好ましい。
【００２２】
マスク片４Ａ，４Ｂは、２枚のシートに加えて他のシートが重ね合わされていてもよい。例えばマスク片４Ａ，４Ｂは、２枚のシートの顔に接する側の表面にポリプロピレンなどの合成繊維で形成されたメッシュシートを重ね合わせることで、肌触りを良好なものとすることができる。
【００２３】
収容体３は、図１及び図６に示すように、着用者の顔（図７に示す）の下顎１０を包含可能な下顎被覆部３０と、下顎被覆部３０から延びて少なくとも目１４の下（頬１２）までを覆う顔被覆部３１とを含む。本実施形態では、顔被覆部３１は、目１４及び目１４の上の額１６までを覆う大きさに形成されており、収容体３は、顔面のほぼ全域を覆うように設計されている。なお、下顎１０は、おおよそ口１１の直下位置と耳１７の直下位置とを結ぶ線１９の下方の部分を指す。また、目１４の下は、目１４と頬１２との境界２０を指す。
【００２４】
下顎被覆部３０は、開口３２の下方の収容体３が拡げられたときに空間Ｓを有する部分であり、立体形状を呈していて、この空間Ｓで下顎１０を包含することで下顎１０の表面１０ａ及び下面（あご下）１０ｂをすっぽりと覆う。
【００２５】
顔被覆部３１は、下顎被覆部３０に連続して設けられており、本実施形態では、頬１２、目１４、こめかみ１５及び額１６を覆う。顔被覆部３１は、下顎被覆部３０とシームレスに連続していてもよいし、境界が分かるように連続していてもよい。
【００２６】
顔被覆部３１は、着用時に着用者が口１１及び／又は鼻１３で容易に呼吸ができるように上記開口３２を有している。本実施形態では、開口３２は、顔被覆部３１の口１１から鼻１３の穴までが当たる領域に少なくとも設けられており、開口３２により着用時に口１１や鼻１３の穴が少なくとも露出することで呼吸を容易にしている。この開口３２は、広すぎると外気が開口３２から侵入し易くなることから温熱効果の妨げとなり、狭すぎると着用者が着用時に閉塞感を感じるおそれがある。そのため、開口３２は、大きくても鼻１３の付け根（左右の目１４の間）まで延びる大きさであることが好ましい。例えば収容体３の上側縁（マスク片４Ａ，４Ｂの上側縁４３）から８ｃｍ程度離れた位置に開口３２を設け開口３２の上下方向の長さは９ｃｍ程度とするのが好ましい。なお、開口３２は、必ずしも口１１及び鼻１３を露出させる必要はなく、着用時に着用者が呼吸可能であれば口１１及び鼻１３のいずれか一方が露出する程度の大きさであってもよい。
【００２７】
顔被覆部３１は、左右の目１４が当たる位置にそれぞれ発熱材料２を収容しない目被覆領域３３を有している。顔被覆部３１は、目被覆領域３３に発熱材料２が収容されていないことで、目（眼球）を温めすぎないように設計されている。この目被覆領域３３は、目被覆領域３３を囲むようにして例えばマスク片４Ａ，４Ｂの２枚のシート材を縫い合わせたり接着するなどして接合することで、発熱材料２が移動できない領域として顔被覆部３１内に設けられている。目被覆領域３３は、本実施形態では縫い目３４によって顔被覆部３１内で区画されている。
【００２８】
収容体３は、下顎被覆部３０及び顔被覆部３１の少なくとも一部分に隣接した発熱材料２を収容しないスカート部３５をさらに含む。スカート部３５は所定の横幅を有する帯状を呈しており、収容体３は、着用時にスカート部３５が着用者の顔面に当接することで、顔全体を良好に包み込むことができる。このスカート部３５は、本実施形態では、図２及び図３に示すように、マスク片４Ａ，４Ｂの着用時に顔の外側（耳側）に位置する外側縁４２から所定距離離れた位置でスカート部３５に沿うようにして例えばマスク片４Ａ，４Ｂの２枚のシート材を縫い合わせたり接着するなどして接合することで、発熱材料２が移動できない領域として下顎被覆部３０及び顔被覆部３１の上側縁（着用時に顔の額側に位置する部分）を除く周縁に設けられている。スカート部３５は、本実施形態では縫い目３６によって下顎被覆部３０及び顔被覆部３１と区画されている。
【００２９】
収容体３には、図１〜図５に示すように、所定位置に、発熱材料２の移動を規制する規制ライン３７が設けられている。本実施形態では、この規制ライン３７は、例えばマスク片４Ａ，４Ｂの２枚のシート材を縫い合わせた縫い目で形成することができるが、接着などの他の方法を用いてマスク片４Ａ，４Ｂの２枚のシート材を接合することで規制ライン３７を形成してもよい。収容体３内の発熱材料２は、発熱材料２自体の重みや着用時に顔面の形状に合わせてフィットした収容体３の形状に応じて移動して、収容体３のいずれかの部分に偏るおそれがある。しかし、規制ライン３７により発熱材料２の移動を規制することで、発熱材料２がいずれかの部分に偏ることを防止して、発熱材料２を収容体３内で均等に分散させることができる。
【００３０】
本実施形態では、図１及び図６に示すように、左右一対の規制ライン３７Ａが、下顎１０と頬１２との境界（図７に示す口１１の直下位置と耳１７の直下位置とを結ぶ線１９）に沿う又は交差するように収容体３に設けられている。これにより、着用時に収容体３内の発熱材料２が下顎被覆部３０の方に偏ることを防止している。また、着用時に収容体３内の発熱材料２が顔の外側（耳１７側）に偏ることを防止している。規制ライン３７Ａは、本実施形態では、下顎１０と頬１２との境界１９と交差しており、２つのマスク片４Ａ，４Ｂの内側縁４１（縦中央線Ｌ）に対する傾斜角度θが小さくなる（規制ライン３７Ａと内側縁４１（縦中央線Ｌ）とが平行に近づく）ようにその向きが設定されている。傾斜角度θが小さい（規制ライン３７Ａと内側縁４１（縦中央線Ｌ）とが平行に近づく）と、着用時に収容体３内の発熱材料２が顔の外側（耳１７側）に偏ることをより良好に防止することができる。傾斜角度θは本実施形態では４５°に設定されているが、４５°に限定されるものではなく、１０°以上８０°以下の範囲、好ましくは１５°以上６０°以下の範囲で任意に設定することができる。なお、傾斜角度θが大きくなると、規制ライン３７Ａが図７に示す下顎１０と頬１２との境界１９に沿うようになり、この場合には、規制ライン３７Ａにより、収容体３を顔の表面形状に対して良好にフィットさせることができる。
【００３１】
また、図１及び図６に示すように、左右一対の規制ライン３７Ｂが、図７に示す頬１２と目１４との境界２０に沿うように収容体３に設けられている。これにより、収容体３内の発熱材料２が顔被覆部３１の目１４側あるいは頬１２側のどちらかに偏ることを防止している。また、規制ライン３７Ｂが頬１２と目１４との境界２０に沿うことで、規制ライン３７Ｂにより、収容体３は顔の表面形状に対して良好にフィットするので、顔面に発熱材料２の温熱を効果的に与えることができる。
【００３２】
なお、規制ライン３７の設置位置は、収容体３の上述した位置に限定されるものではなく、所望の適切な位置に設けることができる。
【００３３】
上述した本実施形態の温熱具１によると、収容体３が顔面の形状に良好にフィットする立体形状を呈しており、下顎被覆部３０が着用者の顔の下顎１０を包むとともに、顔被覆部３１が下顎１０から少なくとも頬１２、さらには目１４や額１６までを覆うので、顔全体をすっぽりと覆うことができ、顔面のほぼ全域に温熱を与えることができる。加えて、下顎１０の下面（顎下）のリンパ節や下顎１０の付け根辺りを流れる大きな血管を温めることができるので血行促進を図ることができる。
【００３４】
また、本実施形態の温熱具１によると、収容体３に規制ライン３７（３７Ａ，３７Ｂ）が設けられていることにより、収容体３内で発熱材料２が偏ることが防止されるので、顔全体にほぼ均等に温熱を与えることができる。
【００３５】
また、本実施形態の温熱具１によると、収容体３がスカート部３５を含み、着用時にスカート部３５が着用者の顔面に当接することで、顔全体が収容体３により包まれ、顔全体をあずきから発生する蒸気による温熱で顔全体を効果的に包み蒸すことができる。
【００３６】
以上、本発明の実施形態について説明したが、本発明は上記実施形態に限定されるものではなく、本発明の趣旨を逸脱しない限りにおいて種々の変更が可能である。
【００３７】
例えば、上記実施形態の温熱具１では、収容体３は２つのマスク片４Ａ，４Ｂにより形成されているが、１つのマスク片により形成されていてもよい。
【００３８】
また、上記実施形態の温熱具１では、収容体３に規制ライン３７（３７Ａ，３７Ｂ）が設けられているが、規制ライン３７（３７Ａ，３７Ｂ）は必ずしも収容体３に設ける必要はない。
【００３９】
また、上記実施形態の温熱具１では、収容体３の顔被覆部３１に発熱材料２を収容しない目被覆領域３３が設けられているが、目被覆領域３３は必ずしも顔被覆部３１に設ける必要はなく、顔被覆部３１の全域に発熱材料２が収容されていてもよい。
【００４０】
また、上記実施形態の温熱具１では、収容体３はスカート部３５を含んでいるが、収容体３はスカート部３５を必ずしも含んでいる必要はない。
【００４１】
また、上記実施形態の温熱具１においては、図８〜図１０に示すように、収容体３の下側縁（マスク片４Ａ，４Ｂの下側縁４０）に、発熱材料２を収容しない非収容部３８が設けられていてもよい。非収容部３８は所定の横幅を有しており、マスク片４Ａ，４Ｂの下側縁４０から所定距離離れた位置で下側縁４０に平行に例えばマスク片４Ａ，４Ｂの２枚のシート材を縫い合わせたり接着するなどして接合することで、発熱材料２が移動できない領域として下顎被覆部３０内に設けられている。非収容部３８は、本実施形態では縫い目３９によって下顎被覆部３０内で区画されている。この非収容部３８は発熱材料２を収容していないため、容易に変形が可能であり、温熱具１の着用者の顔への装着時に下顎被覆部３０で下顎１０を包んだ際、非収容部３８の変形により下顎被覆部３０が下顎１０の下面に沿いやすくなり、下顎被覆部３０により下顎１０をフィット性よく覆うことができる。
【００４２】
また、上記実施形態の温熱具１では、収容体３の顔被覆部３１は、着用者の顔の額１６までを覆う大きさに形成されているが、目１４までを覆う大きさに形成されていてもよいし、目１４の下の頬１２までを覆う大きさに形成されていてもよく、この場合でも着用者の顔面の広範囲に温熱を与えることができる。
【符号の説明】
【００４３】
１    温熱具
２    発熱材料
３    収容体
４Ａ，４Ｂ  マスク片
３０  下顎被覆部
３１  顔被覆部
３２  開口
３３  目被覆領域
３５  スカート部
３７Ａ，３７Ｂ  規制ライン
【図１】
2020000665.tif 000003
【図２】
2020000665.tif 000004
【図３】
2020000665.tif 000005
【図４】
2020000665.tif 000006
【図５】
2020000665.tif 000007
【図６】
2020000665.tif 000008
【図７】
2020000665.tif 000009
【図８】
2020000665.tif 000010
【図９】
2020000665.tif 000011
【図１０】
2020000665.tif 000012